(57)【要約】【課題】  両脚が動きやすく快適な着心地で、しかも着崩れや、素脚の露出が起きにくい新規な袴型襦袢を提供する。【解決手段】  袴型襦袢１は、横長帯状の腰巻き布２と、縦長筒状の一対の脚入れ布３とを備える。腰巻き布２の下端部に脚入れ布３が下方に垂れるように縫い付けられており、腰巻き布３の下端付近には、脚入れ布３の一対の筒口Ｓが腰巻き布２の長さ方向に並んで開口するように設けられる。腰巻き布２は、腰のくびれを補正可能な長さを有している。脚入れ布３は、矩形の生地からなっており、この生地の上辺端部を腰巻き布２に縫い付けるとともに、同生地の下端から所定長さ分だけ左右両辺端部を縫い合わせることにより筒状をなしている。【選択図】図１
0003138170.tif 000002
【実用新案登録請求の範囲】
【請求項１】
着物の下着として着用可能な襦袢であって、
横長帯状の腰巻き布と、
縦長筒状の一対の脚入れ布とを備え、
前記腰巻き布の下端部に前記脚入れ布が下方に垂れるように縫い付けられており、前記腰巻き布の下端付近には、前記脚入れ布の一対の筒口が前記腰巻き布の長さ方向に並んで開口するように設けられることを特徴とする、袴型襦袢。
【請求項２】
請求項１記載の襦袢であって、前記脚入れ布が長襦袢用の生地からなっている、袴型襦袢。
【請求項３】
請求項１または２記載の襦袢であって、前記腰巻き布が腰のくびれを補正するものである、袴型襦袢。
【請求項４】
請求項１〜３記載のいずれか一項記載の襦袢であって、前記脚入れ布は、矩形の生地からなっており、この生地の上辺端部を前記腰巻き布に縫い付けるとともに、同生地の下端から所定長さ分だけ左右両辺端部を縫い合わせることにより筒状をなす、袴型襦袢。
【請求項５】
請求項１〜４記載のいずれか一項記載の襦袢であって、前記腰巻き布は、前記脚入れ布の左右いずれか一方のみに連なって延びる、袴型襦袢。
【考案の詳細な説明】
【技術分野】
【０００１】
本考案は、着物用の下着に関するもので、詳しくは、裾よけの代わりに着用するのに適した袴型襦袢に関するものである。
【背景技術】
【０００２】
着物は、日本人に古くから親しまれている衣服であり、普段の生活着ではなくなったものの、現在でも晴れ着や舞台衣装として好んで着用されている。肌着や襦袢の着こなし方、衿の出し方、帯の結び方まで用途や目的に応じた着付けを行って着物姿を美しく整える。
着付けの際には、半襦袢や裾よけといった専用の肌着を身につける。これらの肌着は、汗取りや着物の汚れを防止し、その着方によって着上がりのラインを美しく見せる役割も果たしている。
【０００３】
このような着物用の肌着のうち、裾よけは、通常、腰から脚にかけて巻かれる一枚の布構造を有しており、裾よけ布の上端部に腰紐が付いている。綿や絹、ポリエステル等の柔軟な生地に腰紐を縫い付けて作製される。着物や長襦袢の裾が素脚にまとわりつかないようにして汗などの汚れが付くのを防ぐ。
なお、裾よけに関連する従来技術としては、例えば半襦袢と裾よけを一体化したもの（特許文献１）、長襦袢の内側に裾よけを縫い付けて一体化したもの（特許文献２）等がある。
【０００４】
【特許文献１】特開平１０−３２５００１号公報
【特許文献２】実開平５−９４２０５号公報
【考案の開示】
【考案が解決しようとする課題】
【０００５】
しかしながら、このような従来の裾よけを着用する場合、下記のような問題がある。
（１）腰から両脚にかけて一枚布を巻き付けるように着用するため、両脚の動きが拘束される。長時間裾よけを締め付けていると、身体が苦しくなることもある。
（２）脚を動かすうちに裾よけの位置がズレて着崩れが起きやすい。
（３）裾よけの前がはだけやすく、素脚が見えてはしたないことがある。
【０００６】
本考案は、このような現状に鑑みなされたもので、両脚が動きやすく快適な着心地で、しかも着崩れや、素脚の露出が起きにくい新規な袴型襦袢を提供することを目的としている。
【課題を解決するための手段】
【０００７】
［第１考案］
前記課題を解決するための第１考案による袴型襦袢は、
着物の下着として着用可能な肌着であって、
横長帯状の腰巻き布と、
縦長筒状の一対の脚入れ布とを備え、
前記腰巻き布の下端部に前記脚入れ布が下方に垂れるように縫い付けられており、前記腰巻き布の下端付近には、前記脚入れ布の一対の筒口が前記腰巻き布の長さ方向に並んで開口するように設けられる構成とした。
【０００８】
本考案の袴型襦袢を着用する場合、まず、腰巻き布を手前に向けて持ち、脚入れ布の筒口に両脚を通す。腰巻き布を腰の位置まで持ち上げ、脚入れ布で両脚を覆い隠す。この状態で腰巻き布を腰に巻き付けて、その帯端を腰巻き布の間に差し込んで留める。
【０００９】
第１考案の袴型襦袢によれば、筒状の脚入れ布で両脚をそれぞれ覆うことになる。肌着の全体形状が又割れ式になっているため、両脚が締め付けられず、包み込むような着心地で、従来の裾よけに比べて動きやすく脚さばきが良好になる。また、両脚が比較的自由に動くから身体も楽になる。
また、脚入れ布が筒状になっているから、脚を動かしても布がズレて拡がるようなことがなく、着崩れを起こす心配がない。
さらに、両脚がそれぞれ脚入れ布で覆い隠されるから、裾が捲れることがなく、前がはだけて素脚が露出してしまう心配もない。
この結果、着物の着心地が極めて快適になり、着物を普段着として気軽に着こなすことができるようになる。
【００１０】
第１考案において、腰巻き布および脚入れ布の生地の種類は、価格や季節、体型等に応じて使い分けるとよく、綿、ウール、絹、麻等の天然繊維の他、合成繊維（ポリエステル、レーヨン等）を用いてもよい。望ましくは、腰巻き布をさらし木綿またはタオル地等の吸水性の良い生地とし、脚入れ布を絹、麻などの滑りの良い生地とするとよい。特に、腰巻き布および脚入れ布を家庭で洗濯できる生地とすれば、袴型襦袢を着る度に洗濯して常に清潔な状態で着ることができる。
【００１１】
脚入れ布の生地については、長襦袢用の生地、すなわち長襦袢を作製するための生地と同一の生地を採用することが望ましい。長襦袢用の生地は、一般に高級感があり、着物の裾や袖口から見えることを考慮して高級感のあるものが採用される。最も高級な生地としては絹や麻の生地があり、その他合成繊維（ポリエステル、レーヨン等）の生地も広く用いられている。
このように脚入れ布に長襦袢用の生地を採用すると、通常の長襦袢を着用しなくとも、着物の裾から見える生地が長襦袢のように見えて外見上、違和感がない。このため、夏場などの暑い季節に着物を着る際に、うそつき半襦袢（半襦袢に衿芯と長襦袢用の生地で作った袖を縫い合わせたもの：図５（Ｃ）符号５参照）と、本考案の袴型襦袢とを組み合わせて着用することで、長襦袢を省略して着物を着用することが可能になる。もちろん冬場などの寒い時期には、袴型襦袢を本来の肌着として裾よけ代わりに着用してその上に長襦袢を着ても構わない。
【００１２】
腰巻き布および脚入れ布の長さ・巾は、着る人の体型に合わせて適宜寸法を設定する。特に、脚入れ布の寸法については、広巾の布で一般的な体型の太腿部分よりも十分に大きな筒径に設定することで、袴型襦袢が広幅パンツのような形状となり、着用時にロングスカートのように見せることができる。
腰巻き布の長さについては、腰の周囲よりも長く設定することが必要である。通常は、腰に一周半程巻き付けてその帯端部を尻の上付近で留めるようにするとよい。このように腰巻き布の長さ調整することで、後述の腰補正をより効果的に行うことできる。
腰巻き布および脚入れ布の生地は、無地白色の他、お洒落の必要に応じて色物や柄物を採用してもよい。
【００１３】
［第２考案］
第２考案の袴型襦袢は、第１考案の構成を備えるものであって、前記腰巻き布が腰のくびれを補正する構成とした。
【００１４】
従来、着物の着付けを行う際に、腰のくびれを寸胴に見せてシルエットを美しく見せるために腰回りの補正を行うことが知られている。具体的な方法としては、半襦袢と裾よけを着用した上に、腰回りにタオル等を巻いて腰のラインを真っ直ぐに保つようにしている。
【００１５】
第２考案の構成では、袴型襦袢の腰巻き布が腰のくびれを補正可能な長さと厚さを備えている。このため、腰巻き布を腰の周囲に巻き付けて留めることで、腰のくびれを埋めて体型を補正することができる。すなわち、従来タオル等で行っていた腰補正を腰巻き布で行うことができる。
また、腰巻き布を巻く位置を上下にズラしたり、腰巻き布を帯巾（上下巾）方向に二つ折り、三つ折り等に折ってその巾を変えれば、腰補正の微調整も容易に行える。
この結果、着付けの工程を簡略化することができ、短時間で美しい着上がりを実現することができる。
【００１６】
［第３考案］
第３考案の袴型襦袢は、第１または第２考案の構成を備えるものであって、前記脚入れ布は、矩形の生地からなっており、この生地の上辺端部を前記腰巻き布に縫い付けるとともに、同生地の下端から所定長さ分だけ左右両辺端部を縫い合わせることにより筒状をなす構成とした。
【００１７】
このような構成によれば、腰巻き布と脚入れ布との縫い代が脚入れ布の生地の巾で最大限に確保することができる。このため、両布の縫い代の結合強度が大きくなり、袴型襦袢が丈夫で長く使えるものとなる。
また、脚入れ布が矩形の生地であるため、裁断が簡単で無駄な生地が生じない。脚入れ布をリサイクル使用する際にも、他の用途の布に簡単に作り直すことができる。
さらに、脚入れ布が矩形の生地であると、生地を重ねてより丈夫にすることも簡単に行うことができ、さらには縫い端の始末にも困らないといった利点もある。
【００１８】
［第４考案］
第４考案の袴型襦袢は、第１、２または３考案の構成を備えるものであって、前記腰巻き布は、前記脚入れ布の左右いずれか一方のみに連なって延びる構成とした。
【００１９】
このような構成によれば、袴型襦袢を着用する際に、腰巻き布を一方向のみに巻けばよくなる。すなわち、腰巻き布の巻いた後、その先端部（帯端）を巻き重ねた布の間に一回差し込むだけで腰巻き布が留まる。これにより、袴型襦袢を極めて簡単に着用することが可能になる。
【００２０】
［第１〜４考案］
本考案（第１〜４考案）の袴型襦袢は、着付けの際に裾よけの代わりとして、若しくは長襦袢の代わりとして用いるのが望ましいが、用途はこれに限定されず、浴衣の下着として用いてもよい。また、男性が使用する場合にはステテコに代えて着用しても快適に過ごすことができる。もちろん一般的なパンツタイプの肌着を着けたまま、本考案（第１〜４考案）の袴型襦袢を着けても構わない。
また、本考案（第１〜４考案）において、各布の縫い合わせについては、手縫いまたはミシン縫いで行うことが望ましいが、接着剤で布同士を貼り付てもよい。
本考案（第１〜４考案）は、必要に応じて単独で適用してもよいし、これらの考案を組み合わせて適用してもよい。また、本明細書に記載される他の考案を組み合わせてもよい。
【考案を実施するための最良の形態】
【００２１】
以下、本考案の実施の形態を図面に基づいて説明する。
本考案の袴型襦袢の実施形態を図１〜２に示した。図１は袴型襦袢１の背面図、図２は、袴型襦袢１の側面図である。
図１に示すように、袴型襦袢１は、横長帯状の腰巻き布２と、縦長筒状の脚入れ布３，３とからなる。腰巻き布２の下向きに一対の脚入れ布３が垂れるように縫い合わされている。脚入れ布３に脚を入れるための筒口Ｓは、腰巻き布２の長さ方向に２個並んで開口している。
【００２２】
腰巻き布２は、規定寸法の巾３８ｃｍのさらし木綿等の生地からなるもので、その長さは１５０〜２００ｃｍ程度である。
脚入れ布３は、絹、麻等の長襦袢用の生地からなり、その筒長さは、股の付け根から足首まで覆い隠せる程度である。脚入れ布３を畳んだときの筒巾は３０〜４０ｃｍ程度の寸法で一般的な体型の太股部分よりも十分に大きく、脚周りに余裕をもって袴型襦袢１を着用できるようになっている。
【００２３】
図２に示すように、脚入れ布３の筒口Ｓを側方から見ると、腰巻き布２から離れる方向に斜め下向きに傾斜している。これにより、筒口Ｓの入口が広く確保され、脚を入れる際の身のこなしがスムーズになる。また、又割れになっているため、このままトイレで用を足すこともできる。
【００２４】
袴型襦袢１の展開図を図３に示した。
袴型襦袢１の展開状態では、帯状の腰巻き布２の下側に、矩形に裁断された２枚の脚入れ布３が現れる。各脚入れ布３は、その上端ｍ１が横方向に揃っており、その隣り合う左右端部が一定幅で重ねられて腰巻き布２の下端に縫い付けてある。
このような展開状態から脚入れ布３の左右両辺の布端ｍ２を中央側に重ね、その下端から一定の長さ分だけ筒状に縫い合わせる。左右両方の脚入れ布３を同様な方法で筒状に縫い合わせることで、図１に示すような袴型襦袢１が完成する。
【００２５】
袴型襦袢１の着方としては、例えばまず、腰巻き布２を着る者の手前に向けて持ち、脚入れ布３に両脚を通して腰巻き布２を腰の位置まで持ち上げる。この状態から腰巻き布２を腰に巻き付けてその最も端の帯端２ａを、下側に巻かれた布の間に差し込んで留める。これにより、図４に示すように、又割れの脚入れ布３に両脚が入った状態で、腰巻き布２が脚入れ布３を吊り下げたような格好に保つ。
【００２６】
次に、袴型襦袢１を用いて着付けを行う工程を図４（Ａ）〜図６（Ｄ）の各図に従って説明する。
着物の着付けを行う場合、通常は、肌着として裾よけを着用するが、本実施形態では、図４（Ａ）のように袴型襦袢１を着用する。袴型襦袢１の着方は、前述した通りである。なお、通常のパンツタイプの下着（伸縮性に優れたショーツが望ましい。）を履いた上で袴型襦袢１を履いてもよい。
【００２７】
次に、図５（Ｂ）に示すように、上半身に前掛け４を付ける。この前掛け４は、タオル地とさらし木綿とを組合せてなるもので、胸補正の役割を果たす。前掛け４の背面は、暑さを和らげるために、さらし布を下げておく構造となっている。このように前掛け４を付けることで上半身の体型が寸胴に整えられて着物姿が美しく見える。
補正で体形を整えたら、図５（Ｃ）に示すように、前掛け４の上からうそつき半襦袢５を羽織り、腰紐５ａを結ぶ。うそつき半襦袢５の衿には衿芯５ｂが、袖部には長襦袢用の生地５ｃが縫い付けられている。すなわち着物姿の外見に見える部分は、長襦袢を着ているのと比べて何の遜色もない。
【００２８】
このように下着を着用した後、図６（Ｄ）に示すように、着物６を羽織って衿を合わせ、整形、シワ取り等を行って伊達締めで留める。仕上げに帯７を結んで帯揚げ７ａと帯締め７ｂを付けて着付けを完了する。
【００２９】
本実施形態の袴型襦袢１によれば、着物を着用しても、両脚が自由に動かせるために、脚さばきが良好で、身体が極めて楽になる。両脚の歩幅も比較的大きくとることができ、歩きやすさも従来の裾よけよりも極めて良好である。
また、袴型襦袢１の位置が脚の動きによってズレにくく、着物の着崩れが起きにくくなる。
また、脚入れ布３が又割れ式になっているので、素脚が着物の下から見える心配もない。
【００３０】
さらに、袴型襦袢１では、脚入れ布３，３が長襦袢用の生地となっているため、うそつき半襦袢５と相俟って着物６の袖口と裾さばきの折などに、高級感のある生地を見せることができる。このため、長襦袢を着用しなくとも、着物姿が違和感のないものとなり、少ない枚数で快適に着物を着こなすことが可能となる。
【００３１】
さらには、袴型襦袢１では、腰巻き布２を腰に巻いて留めるときに同時に腰補正を行うことができる。すなわち、従来の裾よけを付ける際にタオル等で行っていた腰補正をする必要がなく、着付けの工程をより簡略化することができる。
【００３２】
ここで、具体例として、従来の着付けの工程を図７〜図９に示した。
図７（ａ）に示すように、従来の着付けでは、まず裾よけ１１を腰に巻いて腰紐１１ａで留め、図７（ｂ）に示すように、半襦袢１２を羽織って腰紐１２ａを締める。
このように肌着を着た後でタオル１３を腰に巻いて腰補正を行う（図８（ｃ）参照）。そして、腰補正を行ったタオル１３の上から補正ベスト１４を被り、胸補正を行う（図８（ｄ）参照）。
【００３３】
補正で体形を整えたら、図９（ｅ）に示すように、長襦袢１５を羽織り、衿を合わせて腰紐を締め、伊達締め１６を結ぶ。次いで、図９（ｆ）に示すように、着物１７を羽織って衿を合わせ、整形、シワ取り等を行って伊達締めで留める。仕上げに帯１８を結んで帯揚げ１８ａと帯締め１８ｂを付けて着付けを完了する。
【００３４】
これに対し、本実施形態では、袴型襦袢１を最初に着用したときに、図４に示すように、腰巻き布２を腰に巻き付けることで同時に腰のラインを寸胴体型に整える。このため、図８（ｃ）に示すように、タオル１３を腰に巻いて腰補正する必要がない。腰巻き布２は、巻き位置を上下にズラしたり、上下に折り曲げて帯巾を変えることで腰周りの太さと襦袢丈を自在に調整できるから、従来のタオル１３と同等若しくはそれ以上に均整な補正を行うことができる。また、脚入れ布３と一体になっているため、タオル１３のように緩んで腰から外れてしまう心配もない。
【００３５】
また、袴型襦袢１とうそつき半襦袢５とをセットで着用することで、従来の長襦袢１５を省略して着物６を着ることができる。この結果、着付けの工程が簡略化されるとともに、着物の着心地が涼しく快適になって、普段着としても気軽に着物を着用しやすくなる。
【００３６】
以上、本考案の実施形態として袴型襦袢１を説明したが、実施形態はこれに限られず、種々の変形を伴ってもよい。
例えば袴型襦袢１では、腰巻き布２を片側のみに延長させるようにしたが、これを両側に延長させて腰に巻き付けるようにしてもよい。
脚入れ布３の生地は、必ずしも矩形でなく、台形等の生地を用いることもできる。
さらに、腰巻き布２および脚入れ布３の生地については、季節や体型等に合わせて適宜選択することができ、天然素材の他、合成繊維の生地を用いてもよい。
袴型襦袢１と他の下着類を組み合わせて着付け用下着セットとしてもよい。例えば、袴型襦袢１に、伸縮性に優れたショーツ（図示省略）、前掛け４およびうそつき半襦袢５を組み合わせた着付け用下着セットを用いれば、図４〜図６に示したような簡易な着付けを手持ちの着物で簡単に行うことができる。
【図面の簡単な説明】
【００３７】
【図１】本考案の実施形態による袴型襦袢を示す背面図である。
【図２】同袴型襦袢の側面図である。
【図３】同袴型襦袢の展開図である。
【図４】同袴型襦袢を着用した状態を示す正面図である。
【図５】同袴型襦袢による着付けの工程を説明するもので、（Ｂ）は前掛けを着用した状態を示す正面図、（Ｃ）はうそつき半襦袢を着用した状態を示す正面図である。
【図６】同袴型襦袢による着付けの工程を説明するもので、着物を着用した状態を示す正面図である。
【図７】従来の着付けの工程を説明するもので、（ａ）は裾よけを着用した状態を状態を示す正面図、（ｂ）は半襦袢を着用した状態を示す正面図である。
【図８】従来の着付けの工程を説明するもので、（ｃ）は腰補正用のタオルを巻いた状態を示す正面図、（ｄ）は胸補正用の補正ベストを着用した状態を示す正面図である。
【図９】従来の着付けの工程を説明するもので、（ｅ）は長襦袢を着用した状態を示す正面図、（ｆ）は着物を着用した状態を示す正面図である。
【符号の説明】
【００３８】
１    袴型襦袢
２    腰巻き布
２ａ  帯端
３，３    脚入れ布
４    前掛け
５    うそつき半襦袢
６    着物
７    帯
７ａ  帯揚げ
７ｂ  帯締め
Ｓ    脚入れ用の筒口
【図１】
0003138170.tif 000003
【図２】
0003138170.tif 000004
【図３】
0003138170.tif 000005
【図４】
0003138170.tif 000006
【図５】
0003138170.tif 000007
【図６】
0003138170.tif 000008
【図７】
0003138170.tif 000009
【図８】
0003138170.tif 000010
【図９】
0003138170.tif 000011